(57)【特許請求の範囲】
【請求項１】
車体側に固着される第１補助具本体と、ナンバープレートを固着する第２補助具本体とを回動可能に組み合わせてナンバープレート取り付け角度の調整を可能とするナンバープレート取付け用補助具において、
第１補助具本体の取付け用板体の左右両端側より相対向するように突設されボルト挿通穴を有する一対の突出片と、第２補助具本体の取付け用板体の左右両端側より相対向するように突設されボルト挿通穴を有する一対の突出片とを形成すると共に、第１補助具本体と第２補助具本体の左端側の突出片同士を連結すべくその両端側にボルト挿通穴を有するアーム部材と、第１補助具本体と第２補助具本体の右端側の突出片同士を連結すべくその両端側にボルト挿通穴を有するアーム部材とを備え、両アーム部材の一端側は、第１補助具本体の突出片に固着具を介して回動可能に取り付けられると共に、第２補助具本体側のナンバープレートの配置位置を第１補助具本体に対して前後方向及び上下方向に推移させて選定可能とし、両アーム部材の他端側は、第２補助具本体の突出片に固着具を介して回動可能に取り付けられると共に、アーム部材の一端側により選定されたナンバープレートの配置位置においてナンバープレートの傾斜角度を選定可能とすることを特徴とするナンバープレート取付け用補助具。
【請求項２】
車体側に固着される第１補助具本体と、ナンバープレートを固着する第２補助具本体とを回動可能に組み合わせてナンバープレート取り付け角度の調整を可能とするナンバープレート取付け用補助具において、
第１補助具本体は、その取付け用板体の中央部位に断面コ字の凸状部を形成し、取付け用板体の両側部を車体側への取付け部とすると共に、断面コ字状の凸部における両側の立ち上がり面をそれぞれボルト挿通穴を有する一対の突出片とし、第２補助具本体は、フラットな板状部と折曲された折曲面よりなる分割された一対のＬ字型プレートとされ、板状部をナンバープレートの取付け部とすると共に、折曲面はボルト挿通穴を有する突出片とされ、第１補助具本体と第２補助具本体の左端側の突出片同士を連結すべくその両端側にボルト挿通穴を有するアーム部材と、第１補助具本体と第２補助具本体の右端側の突出片同士を連結すべくその両端側にボルト挿通穴を有するアーム部材とを備え、両アーム部材の一端側は、第１補助具本体の突出片に固着具を介して回動可能に取り付けられると共に、第２補助具本体側のナンバープレートの配置位置を第１補助具本体に対して前後方向及び上下方向に推移させて選定可能とし、両アーム部材の他端側は、第２補助具本体の突出片に固着具を介して回動可能に取り付けられると共に、アーム部材の一端側により選定されたナンバープレートの配置位置においてナンバープレートの傾斜角度を選定可能とすることを特徴とするナンバープレート取付け用補助具。
【請求項３】
車体側に固着される第１補助具本体と、ナンバープレートを固着する第２補助具本体とを回動可能に組み合わせてナンバープレート取り付け角度の調整を可能とするナンバープレート取付け用補助具において、
第１補助具本体は、フラットな板状部と折曲された折曲面よりなる分割された一対のＬ字型プレートとされ、板状部をナンバープレートの取付け部とすると共に、折曲面はボルト挿通穴を有する突出片とされ、第２補助具本体は、フラットな板状部と折曲された折曲面よりなる分割された一対のＬ字型プレートとされ、板状部をナンバープレートの取付け部とすると共に、折曲面はボルト挿通穴を有する突出片とされ、第１補助具本体と第２補助具本体の左端側の突出片同士を連結すべくその両端側にボルト挿通穴を有するアーム部材と、第１補助具本体と第２補助具本体の右端側の突出片同士を連結すべくその両端側にボルト挿通穴を有するアーム部材とを備え、両アーム部材の一端側は、第１補助具本体の突出片に固着具を介して回動可能に取り付けられると共に、第２補助具本体側のナンバープレートの配置位置を第１補助具本体に対して前後方向及び上下方向に推移させて選定可能とし、両アーム部材の他端側は、第２補助具本体の突出片に固着具を介して回動可能に取り付けられると共に、アーム部材の一端側により選定されたナンバープレートの配置位置においてナンバープレートの傾斜角度を選定可能とすることを特徴とするナンバープレート取付け用補助具。
【発明の詳細な説明】
【０００１】
【発明の属する技術分野】
この発明は、自動車やオートバイなどにおけるナンバープレートの取り付け角度の許容範囲を拡大することが可能なナンバープレート取付け用補助具に関するものである。
【０００２】
【従来の技術】
自動車やオートバイなどにナンバープレートを取り付ける際に、車体に対する取り付け角度を使用者の好みに応じて設定することができる補助具として、実公平８−１９７８号公報に記載されているような補助具や、特開平１０−２３０７９９号公報に記載されているような補助具が知られている。
【０００３】
実公平８−１９７８号公報に記載されているような補助具は、図５に示したように、車体７側に固着される第１補助具本体２の突出片３ａ，３ｂに、ナンバープレート８を固着する第２補助具本体４の突出片５ａ，５ｂを接合させ、両突出片３ａ，３ｂ−５ａ，５ｂを好みの角度となるように組み合わせつつボルト挿通穴３ｃ−５ｃ，３ｄ−５ｄを一致させた上でボルト９とナット１０などの固着具により、突出片３ａ−５ａ，３ｂ−５ｂ同士を締め付ける構成とされている。
【０００４】
また、特開平１０−２３０７９９号公報に記載されているような補助具は、図示は省略をするが、ナンバープレートの取り付け角度を可変可能で一定角度の保持ができるように、回動兼ストッパー機構を付設させるようにしているが、この補助具も突出片同士の組み合わせは、図５に示した補助具と同様に、突出片３ａ−５ａ，３ｂ−５ｂ同士を互いに接合させる構成とされている。
【０００５】
【発明が解決しようとする課題】
ところで、このような従来の補助具は、補助具の突出片同士を互いに接合させる構成とされているため、ナンバープレートの取り付け個所の形状が充分に角度調整を行えるクリアランスを有している場合にはよいが（図６参照）、そうでない場合には良好な角度調整などが行えなくなるという問題がある。
【０００６】
例えば、需要者の好みの変化や車種の多機能化などにより、図７に示したように、補助具を取り付ける車体７側の上下幅がかなり大きくなった場合などには、ナンバープレート８の傾斜を受け入れるクリアランスがなくなり、結果的には角度調整しかできなくなり、この種補助具の目的が果たせなくなってしまうこととなる。
【０００７】
この発明は、上記のような事情に鑑みてなされたものであり、その目的とするところは、ナンバープレートの取り付け角度の許容範囲を拡大することができ、取り付け個所の形状や条件が異なる場合でもナンバープレートを好みの角度に調整することが可能なナンバープレート取付け用補助具を提供することにある。
【０００８】
【課題を解決するための手段】
この発明は、上記のような目的を違成するために、請求項１記載のように、車体側に固着される第１補助具本体と、ナンバープレートを固着する第２補助具本体とを回動可能に組み合わせてナンバープレート取り付け角度の調整を可能とするナンバープレート取付け用補助具において、第１補助具本体の取付け用板体の左右両端側より相対向するように突設されボルト挿通穴を有する一対の突出片と、第２補助具本体の取付け用板体の左右両端側より相対向するように突設されボルト挿通穴を有する一対の突出片とを形成すると共に、第１補助具本体と第２補助具本体の左端側の突出片同士を連結すべくその両端側にボルト挿通穴を有するアーム部材と、第１補助具本体と第２補助具本体の右端側の突出片同士を連結すべくその両端側にボルト挿通穴を有するアーム部材とを備え、両アーム部材の一端側は、第１補助具本体の突出片に固着具を介して回動可能に取り付けられると共に、第２補助具本体側のナンバープレートの配置位置を第１補助具本体に対して前後方向及び上下方向に推移させて選定可能とし、両アーム部材の他端側は、第２補助具本体の突出片に固着具を介して回動可能に取り付けられると共に、アーム部材の一端側により選定されたナンバープレートの配置位置においてナンバープレートの傾斜角度を選定可能とすることを特徴とする。
また、請求項２記載のように、車体側に固着される第１補助具本体と、ナンバープレートを固着する第２補助具本体とを回動可能に組み合わせてナンバープレート取り付け角度の調整を可能とするナンバープレート取付け用補助具において、第１補助具本体は、その取付け用板体の中央部位に断面コ字の凸状部を形成し、取付け用板体の両側部を車体側への取付け部とすると共に、断面コ字状の凸部における両側の立ち上がり面をそれぞれボルト挿通穴を有する一対の突出片とし、第２補助具本体は、フラットな板状部と折曲された折曲面よりなる分割された一対のＬ字型プレートとされ、板状部をナンバープレートの取付け部とすると共に、折曲面はボルト挿通穴を有する突出片とされ、第１補助具本体と第２補助具本体の左端側の突出片同士を連結すべくその両端側にボルト挿通穴を有するアーム部材と、第１補助具本体と第２補助具本体の右端側の突出片同士を連結すべくその両端側にボルト挿通穴を有するアーム部材とを備え、両アーム部材の一端側は、第１補助具本体の突出片に固着具を介して回動可能に取り付けられると共に、第２補助具本体側のナンバープレートの配置位置を第１補助具本体に対して前後方向及び上下方向に推移させて選定可能とし、両アーム部材の他端側は、第２補助具本体の突出片に固着具を介して回動可能に取り付けられると共に、アーム部材の一端側により選定されたナンバープレートの配置位置においてナンバープレートの傾斜角度を選定可能とすることを特徴とする。
また、請求項３記載のように、車体側に固着される第１補助具本体と、ナンバープレートを固着する第２補助具本体とを回動可能に組み合わせてナンバープレート取り付け角度の調整を可能とするナンバープレート取付け用補助具において、第１補助具本体は、フラットな板状部と折曲された折曲面よりなる分割された一対のＬ字型プレートとされ、板状部をナンバープレートの取付け部とすると共に、折曲面はボルト挿通穴を有する突出片とされ、第２補助具本体は、フラットな板状部と折曲された折曲面よりなる分割された一対のＬ字型プレートとされ、板状部をナンバープレートの取付け部とすると共に、折曲面はボルト挿通穴を有する突出片とされ、第１補助具本体と第２補助具本体の左端側の突出片同士を連結すべくその両端側にボルト挿通穴を有するアーム部材と、第１補助具本体と第２補助具本体の右端側の突出片同士を連結すべくその両端側にボルト挿通穴を有するアーム部材とを備え、両アーム部材の一端側は、第１補助具本体の突出片に固着具を介して回動可能に取り付けられると共に、第２補助具本体側のナンバープレートの配置位置を第１補助具本体に対して前後方向及び上下方向に推移させて選定可能とし、両アーム部材の他端側は、第２補助具本体の突出片に固着具を介して回動可能に取り付けられると共に、アーム部材の一端側により選定されたナンバープレートの配置位置においてナンバープレートの傾斜角度を選定可能とすることを特徴とする。
【０００９】
【作用】
車体７側に固着される第１補助具本体１の突出片３ａ、３ｂにおいて、ボルト８を介してアーム部材２０の一端側を好みの角度に立ち上げ調整し、好みの角度に立ち上げられたアーム部材２０の他端において第２補助具本体４の突出片５ａ，５ｂを調整し、第２補助具本体４より垂下されるナンバープレート８を好みの角度に調整する。
【００１０】
【発明の実施の形態】
以下、この発明の実施例を図面に基づき詳細に説明する。図１は、この発明に係るナンバープレート取付け用補助具の構成を示す分解斜視図であり、図２は、図１に係るナンバープレート取付け用補助具の動作を示す説明図である。なお、従来と同一部材は同一の符号を付して説明をする。
【００１１】
図１に示すように、このナンバープレート取付け用補助具１は、車体７側に固着される第１補助具本体２と、ナンバープレート８を固着する第２補助具本体４とが、アーム部材２０を介して回動可能に組み合わされる。但し、図中における奥側のアーム部材２０の図示は省略をする。
【００１２】
第１補助具本体２は、取付け用板体３の両端部の突出片３ａ，３ｂが板状のアーム部材２０を緊締可能に固着する枢着部とされている。アーム部材２０の一端側に開設されたボルト挿通穴２０ａが、取付け用板体３に形成された突出片３ａ，３ｂの中央に開設されたボルト挿通穴３ｃ，３ｄに一致され、両ボルト挿通穴２０ａ−３ｃ／２０ａ−３ｄに外側方向からから挿通されるボルト９及びこのボルト９に螺合するナット１０の固着具により接合連結されるように構成されている。
【００１３】
一方、第２補助具本体４は、取付け用板体５の両端部の突出片５ａ，５ｂが板状のアーム部材２０を緊締可能に固着する枢着部とされている。アー厶部材２０の他端部側に開設されたボルト挿通穴２０ｂが、取付け用板体５の両端部に形成された突出片５ａ，５ｂの中央に開設されたボルト挿通穴５ｃ，５ｄに一致され、両ボルト挿通穴２０ｂ−５ｃ／２０ｂ−５ｄに外側方向からから挿通されるボルト９及びこのボルト９に螺合するナット１０の固着具により接合連結されるように構成されている。
【００１４】
なお、７ａ，７ｂは車体７側に開設されたボルト挿通穴であり、８ａ，８ｂはナンバープレート８に開設されたボルト挿通穴である。また、アーム部材２０のボルト挿通穴２０ａ，２０ｂ、第１補助具本体２のボルト挿通穴３ｃ，３ｄ、第２補助具本体４のボルト挿通穴５ｃ，５ｄなどは、適宜長穴として開設してもよい。
【００１５】
このように構成されたこの実施例によれば、図２に示したように、車体７側に固着される第１補助具本体２の突出片３ａのボルト挿通穴３ｃには、アーム部材２０の一端側のボルト挿通穴２０ａが一致され、両ボルト挿通穴３ｃ，２０ａを貫通するボルト９を介して互いに枢着可能に取り付けられる。また、アーム部材２０の他端側のボルト挿通穴２０ｂは、第２補助具本体４の突出片５ａのボルト挿通穴５ｃが一致され、両ボルト挿通穴５ｃ，２０ｂを貫通するボルト９を介して互いに枢着可能に取り付けられる。このため、アーム部材２０の起立角度によりナンバープレート８を車体７に近接させた垂直状態にすることもできるし、車体７に対して水平状態にすることもできる。
【００１６】
このように、車体７からの各立ち上げ状態を種々可変することにより、ナンバープレート８を固着する第２補助具本体４を好みの回動角度に調整できるので、第１補助具本体２と第２補助具本体４とを互いに組み合わすだけの従来の方式に比べて、ナンバープレート８の取付け角度の許容範囲を拡大することができ、また、取付け個所の形状や条件が異なる場合でもナンバープレート８を好みの角度に調整することが可能となる。
【００１７】
また、ナンバープレート取付け用補助具１の構成は、上記した作用を果たすものであれば適宜設計変更が可能である。その具体例を図３と図４に基づき例示する。
【００１８】
図３に示した補助具１の車体７側に固着される第１補助具本体１００は、図１のようにフラットな取付け用板体３の両端部より突出片３ａ，３ｂを張出する構成ではなく、フラットな取付け用板体の中央部位を断面コ字状の凸部とすることにより、フラットな板状の両側部１０１，１０１を車体７側への取付け部とし、また、凸部の立ち上がり面１０２，１０２をアー厶部材２０との接合部である突出片としたものである。このため、ナンバープレート８を固着する第２補助具本体２００は、フラットな板状部２０１，２０１をナンバープレート８との取付け部とし、フラットな板状部２０１，２０１の一端部よりＬ字状に折曲された折曲面２０２，２０２をアーム部材２０との接合部としたものであり、分割されたＬ字型プレート２００，２００として形成されている。
【００１９】
このため、車体７側に開設されたボルト挿通穴７ａ−７ｂは第１補助具本体１００におけるボルト挿通穴１０１ａ−１０１ａと一致され、第１補助具本体１００におけるボルト挿通穴１０２ａ−１０２ａはアーム部材２０の一端側のボルト挿通穴２０ａ−２０ａと一致され、アーム部材２０の他端側のボルト挿通穴２０ｂ−２０ｂは第２補助具本体２００のボルト挿通穴２０１ｂ−２０１ｂと一致され、第２補助具本体２００のボルト挿通穴２０１ａ−２０１ａはナンバープレート８のボルト挿通穴８ａ−８ｂと一致される。
【００２０】
図４に示した第２補助具本体２００は、図３に示したと同様に、フラットな板状部２０１，２０１の一端部よりＬ字状に折曲された折曲面２０２，２０２を有する一対の、分割されたＬ字型プレートである第２補助具本体２００，２００として構成されるが、第１補助具本体３００もフラットな板状部３０１，３０１の一端部よりＬ字状に折曲された折曲面３０２，３０２を有する一対のＬ字型プレートである第１補助具本体３００，３００として構成される。
【００２１】
このため、車体７側に開設されたボルト挿通穴７ａ−７ｂは第１補助具本体３００−３００におけるボルト挿通穴３０１ａ−３０１ａと一致され、第１補助具本体３００におけるボルト挿通穴３０２ａ−３０２ａはアーム部材２０の一端側のボルト挿通穴２０ａ−２０ａと一致される。
【００２２】
【発明の効果】
以上説明したように、この発明によれば、また、本願発明による効果としては、ナンバープレートの配置位置は、アーム部材の一端側の操作により第１補助具本体に対して伸縮方向及び上下方向に自由に推移させて選定することができると共に、その選定位置においてアーム部材の他端側の操作によりナンバープレートの傾斜角度を自由に可変させて選定することができる。
このため、ナンバープレートの取り付け角度の許容範囲を拡大することができると共に、取り付け個所の形状や条件が異なる場合でもナンバープレートを好みの角度に自在に調整し、取り付け個所の形状や条件の差異にかかわらずナンバープレートの取り付け対応をすることができる。
【図面の簡単な説明】
【図１】この発明に係るナンバープレート取付け用補助具の構成を示す分解斜視図である。
【図２】図１に係るナンバープレート取付け用補助具の動作を示す説明図である。
【図３】この発明に係るナンバープレート取付け用補助具の第２の構成を示す分解平面図である。
【図４】この発明に係るナンバープレート取付け用補助具の第３の構成を示す分解平面図である。
【図５】従来のナンバープレート取付け用補助具の構成を示す分解斜視図である。
【図６】ナンバープレート取り付け一例を示す説明図である。
【図７】ナンバープレート取り付け他例を示す説明図である。
【符号の簡単な説明】
１      補助具
２      第１補助具本体
４      第２補助具本体
８      ナンバープレート
２０    アーム部材
【図１】
0003549021.tif 000002
【図２】
0003549021.tif 000003
【図３】
0003549021.tif 000004
【図４】
0003549021.tif 000005
【図５】
0003549021.tif 000006
【図６】
0003549021.tif 000007
【図７】
0003549021.tif 000008